(57)【特許請求の範囲】
【請求項１】
三脚の開脚状態を固止する装置であって、該三脚の脚の本数に対応しかつそれぞれの一端側が互いに集結されて他端側が放射方向に延出位置された鎖状の連結索部材と、該連結索部材の他端側に取付けられて前記三脚の石突部先端を受け入れかつ接地面を有する石突部受け部材とを備え、
前記連結索部材は、主連結索部材と該主連結索部材に装脱可能に連結された副連結索部材とから構成するとともに、主連結索部材に対し副連結索部材の連結位置を可変にして全体の長さ調整可能に構成したことを特徴とする三脚の固止装置。
【請求項２】
請求項１記載の三脚の固止装置であって、前記石突部受け部材は摩擦係数の比較的大きい材質から形成したことを特徴とする三脚の固止装置。
【請求項３】
請求項１又は２記載の三脚の固止装置であって、石突部受け部材の接地面には滑止め防止手段が施されていることを特徴とする三脚の固止装置。
【請求項４】
請求項２又は３記載の三脚の固止装置であって、石突部受け部材には、該石突部を受け入れる凹陥部を形成して該凹陥部の底部に対応する接地面を薄く形成したことを特徴とする三脚の固止装置。
【発明の詳細な説明】
【０００１】
【発明の属する技術分野】
本発明は、例えば、測量機器を搭載する測量機用三脚において、該三脚の各脚の開脚状態を固止（開脚姿勢を維持）するための固止装置に関するものである。
【０００２】
【従来の技術】
従来、測量機用三脚において、実際の使用にあっては、測量機器を搭載するとともに、各脚をそれぞれ開脚して該各脚に設けた石突部の尖った先端を設置場所における接地面に定置されることになる。
しかしながら、設置場所における接地面に対して石突部の先端部が刺さらない（食い込まない）接地面においては、該各脚が最初の接地時に開脚した状態からそれ以上に開脚したり、また開脚状態が狭められたりして安定状態が損ねられ転倒することが多々生じていた。
そこで、三脚自体にその各脚の必要以上（安定性を保つことができる）開脚状態を止めるために、所定の長さの鎖を各脚どうし連結して構成した開き止め手段が採用されていた。
【０００３】
【発明が解決しようとする課題】
しかしながら、上記した開き止め手段にあっては、その構造上、必然的に各脚の開き状態が常に一定となり、三脚自体の開脚角度を自由に設定する（三脚の脚頭の高さを設定する）ことができず、測量作業の作業性を悪化させる要因ともなっていた。
そこで、本発明は、上記した従来の問題点に鑑み、各脚の開脚状態を簡単に固止することができ、測量作業等の作業性の良化向上を図ることができる三脚の固止装置を提供することを目的としたものである。
【０００４】
【課題を解決するための手段】
上記した目的を達成するために、本発明の請求項１の発明は、三脚の開脚状態を固止する装置であって、該三脚の脚の本数に対応しかつそれぞれの一端側が互いに集結されて他端側が放射方向に延出位置された鎖状の連結索部材と、該連結索部材の他端側に取付けられて前記三脚の石突部先端を受け入れかつ接地面を有する石突部受け部材とを備え、
前記連結索部材は、主連結索部材と該主連結索部材に装脱可能に連結された副連結索部材とから構成するとともに、主連結索部材に対し副連結索部材の連結位置を可変にして全体の長さ調整可能に構成したことを要旨とするものである。
この構成によれば、各連結索部材をその一端から互いに放射方向に延出し、この連結索部材の他端に設けた石突部受け部材により、開脚状態の各脚の石突部先端を受け入れ固止してそれ以上の開脚を阻止することができるとともに、連結索部材の長さをそれぞれ調節することによって各脚の種々の開脚状態（開脚角度）に簡単に対応することができる。
【０００５】
また、請求項２の発明は、請求項１記載の三脚の固止装置において、前記石突部受け部材は摩擦係数の比較的大きい材質から形成したことを要旨とするものである。
この構成によれば、屋内やコンクリート敷き等滑りやすい床面における接地面に対しても石突部受け部材が滑ることなく、その安定した固止状態を得ることができ、三脚自体の設置状態を確実に確保することができる。
【０００６】
さらに、請求項３の発明は、請求項１又は２記載の三脚の固止装置において、石突部受け部材の接地面には滑止め防止手段が施されていることを要旨とするものである。
この構成によれば、上記した屋内やコンクリート敷き等滑りやすい床面における接地面に対しても石突部受け部材が滑ることなく、その安定した固止状態を得ることができ、三脚自体の設置状態を確実に確保することができる。
【０００７】
また、請求項４の発明は、請求項２又は３記載の三脚の固止装置において、石突部受け部材には、該石突部を受け入れる凹陥部を形成して該凹陥部の底部に対応する接地面を薄くしたことを要旨とするものである。
この構成によれば、接地面からの振動が三脚側に伝播することを可及的に防止して実際の測量作業時に対して振動による精度上等の悪影響を及ぼすことを可及的に無くすることができる。
【０００８】
【実施の形態】
以下、本発明を具体化した一実施の形態について図を参照して説明する。
図において、１は本例の固止装置の全体を示し、該固止装置１は大別すると、測量機用三脚Ｍの脚Ｓに対応する三本の連結索部材２〜２と、該各連結索部材２〜２にそれぞれ取付けられた石突部受け部材３〜３とから構成されている。
【０００９】
前記連結索部材２〜２は、例えば、図１に示すように、それぞれ所望の長さの耐錆性に富む材質のチェーン（鎖状）から構成された主連結索部材２ａ〜２ａと、同じくチェーン（鎖状）から構成されかつ該主連結索部材２ａ〜２ａより長さを短くした副連結索部材２ｂ〜２ｂとから形成されていて、この副連結索部材２ｂ〜２ｂは主連結索部材２ａ〜２ａの端部に対し、端部に自由な動きを許容された状態で設けられた図示するばね片を備えたフック４〜４にてその連結位置の調整可能（装脱可能）に係合連結されている。
【００１０】
しかして、連結索部材２〜２は、主連結索部材２ａ〜２ａに対するフック４〜４による副連結索部材２ｂ〜２ｂの連結位置の調節によって全体の長さが自由に設定できるように構成されている。
【００１１】
そして、各連結索部材２〜２はその一端のチェーン環部が互いにリング状の集結部材５に連結されていて、その使用時において、該集結部材５を中心として放射方向に延出されたり、一つに束ねられた状態となされるものである。
【００１２】
前記各石突部受け部材３〜３は、全体的に例えば、ゴム等の摩擦係数の比較的大きい材質から成形されており、下面を接地面となしたほぼ円板状の基部３ａと、該基部３ａと一体的に形成されたボス部３ｂとから構成され、該ボス部３ｂには測量機用三脚Ｍの脚Ｓに装設された石突部Ｓａのほぼ先端部が挿入（受け入れる）される凹陥部３ｃが穿設されている。
【００１３】
そして、各石突部受け部材３〜３のボス部３ｂの外周には前記フック４と同様な構成のフック６〜６が取付環７〜７を介して自由な動きを許容された状態で取付けられていて、この各石突部受け部材３〜３はそのフック６〜６により前記各連結索部材２〜２の副連結索部材２ｂ〜２ｂの端部に装脱可能に係合連結されている。
【００１４】
また、前記各石突部受け部材３〜３における凹陥部３ｃと基部３ａの下面の接地面との肉厚を比較的薄く（望ましくは０．５ミリ程度）なるように該凹陥部３ｃの深さが設定されその凹陥部３ｃの底部には石突部Ｓａの先端が当接するように比較的薄い金属製の受け板８が貼着等の手段で装設されている。
【００１５】
上述のように構成された固止装置１は、測量機用三脚Ｍとは別体として携帯するものであり、その使用状態にあっては、該測量機用三脚Ｍにおける各脚Ｓの開脚状態に合わせて、連結索部材２〜２をその集結部材５を中心として放射方向に延出させるとともに、主連結索部材２ａ〜２ａに対して副連結索部材２ｂ〜２ｂの連結位置をフック４〜４による係合位置を変えることによって調節する。
【００１６】
そして、連結索部材２〜２の各端部に取付けられた各石突部受け部材３〜３の凹陥部３ｃ内に開脚状態にある各脚Ｓの石突部Ｓａの先端を挿入（受け入れ）して受け板８に当接位置させる。
【００１７】
ここに、集結部材５を中心として放射方向に延出された連結索部材２〜２の端部の各石突部受け部材３〜３により測量機用三脚Ｍにおける各脚Ｓの石突部Ｓａ先端を受け入れて該各脚Ｓの開脚状態をそれ以上開脚しないように固止するとともに、測量機用三脚Ｍの設置部位に対する各石突部受け部材３〜３の摩擦抵抗によって該測量機用三脚Ｍの設置部位における接地面に対して該開脚状態を安定に保持するものである。
【００１８】
なお、予め、連結索部材２〜２の長さを前述したように調節して置き、各石突部受け部材３〜３の凹陥部３ｃ内に測量機用三脚Ｍにおける各脚Ｓの石突部Ｓａ先端を挿入し、その後、該各脚Ｓを開脚するようにしても前述と同様に行い得るものである。
【００１９】
また、上述した実施の形態にあって、連結索部材２〜２を耐錆性に富む材質のチェーン（鎖状）から構成したが、これに代えて他の材質からなる例えば、紐状の連結索部材２〜２でもよい。
【００２０】
さらに、上述した実施の形態にあって、石突部受け部材３〜３をゴム等の材質から成形したが、これに代えて摩擦係数の比較的大きい他の材質例えば、合成樹脂から構成してもよい。
【００２１】
そして、石突部受け部材３〜３の接地面に対して、摩擦抵抗を増大するために、例えば、筋状の滑り止めを加工したり、別の滑り止め部材を貼着するようにしてもよく、この場合は、接地面に対する該開脚状態の安定化にさらに確実なものとして保持するものである。
【００２２】
【発明の効果】
以上のように、請求項一の発明では、各連結索部材をその一端から互いに放射方向に延出し、この連結索部材の他端に設けた石突部受け部材により、開脚状態の各脚の石突部先端を受け入れ固止してそれ以上の開脚を阻止することができ、該三脚の開脚状態を簡単に固止して維持し得るものであり、測量作業等の作業性の良化向上を図ることができるとともに、三脚とは別体として携帯するものであるから、その持ち運び等の取扱がきわめて簡便となる。さらに、連結索部材の長さをそれぞれ調節することによって各脚の種々の開脚状態（開脚角度）に簡単に対応することができ、測量作業等の作業性の一層の良化向上を図ることができる。
【００２３】
また、請求項２及び４の発明では、前述した効果に加えて、屋内やコンクリート敷き等滑りやすい床面における接地面に対しても石突部受け部材が滑ることなく、その安定した固止状態を得ることができ、三脚自体の設置状態を確実に確保することができる。
【００２４】
そして、請求項４の発明では、前述した効果に加えて、石突部を受け入れる凹陥部と接地面との肉厚を薄く形成することによって、三脚の石突部先端が設置場所における設置面に対して一点で当接する状態に近づくことと、共振作用を断つことになるため、接地面からの振動が三脚側に伝播することを可及的に防止でき、実際の測量作業時に対して振動による精度上等の悪影響を及ぼすことを可及的に無くすることができる。
【図面の簡単な説明】
【図１】  固止装置の使用状態を示す説明図である。
【図２】  固止装置の全体を示す正面図である。
【図３】  固止装置における石突部受け部材の取付状態を示す断面図である。
【符号の簡単な説明】
１  固止装置の全体
２  連結索部材
２ａ  主連結索部材
２ｂ  副連結索部材
３  石突部受け部材
Ｍ  測量機用三脚
Ｓ  脚
Ｓａ  石突部
【図１】
0003771011.tif 000002
【図２】
0003771011.tif 000003
【図３】
0003771011.tif 000004